【手続補正書】
【提出日】平成14年9月20日(2002.9.20)
【手続補正１】
【補正対象書類名】明細書
【補正対象項目名】特許請求の範囲
【補正方法】変更
【補正の内容】
【特許請求の範囲】
【請求項１】
（ａ）ハブサーバと、
（ｂ）リモートサーバであって、
該リモートサーバが、ネットワーク装置および前記ハブと通信可能であり、
前記ハブサーバが、該リモートサーバおよび前記ネットワーク装置と通信可能であり、
前記ハブサーバおよび前記リモートサーバが動作可能である場合、前記ハブサーバが前記リモートサーバと通信し、
前記ハブサーバが動作可能および前記リモートサーバが動作不能である場合、前記ハブサーバが前記ネットワーク装置と通信する、リモートサーバと、
（ｃ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視し、該数を送信したＰＩＮＧの数に基づく割合に変換し、
（ｉｖ）ＳＮＭＰ問合せを前記ネットワーク装置へ送信し、該ＳＮＭＰにより「アップ」、「ダウン」および「不明」からなる前記ネットワーク装置の動作状態を判定し、
（ｖ）前記戻ってきたＰＩＮＧの割合および前記ＳＮＭＰ状態を用いて、前記戻ってきたＰＩＮＧの割合に、前記動作状態が「アップ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成し、
（ｖｉ）現在および過去４ポーリング周期について前記状態割合の重み付け平均を計算し、該重み付け平均から前記ネットワーク装置の状態を判定するための、リー／ティムパラダイム（ＬＴＭ）を用いて前記ネットワーク装置から情報を引き出すための前記リモートネットワークサーバに関連する手段と、
からなる分散ネットワーク管理システム。
【請求項２】
（ａ）プライマリハブサーバと、
（ｂ）セカンダリハブサーバと、
（ｃ）リモートサーバであって、
該リモートサーバが、ネットワーク装置、前記プライマリハブサーバおよび前記セカンダリハブサーバと通信可能であり、
前記プライマリハブサーバが、前記リモートサーバおよび前記セカンダリハブサーバと通信可能であり、
前記ハブサーバが、前記リモートサーバおよび前記プライマリハブサーバと通信可能であり、
前記プライマリサーバおよび前記リモートサーバが動作可能である場合、前記プライマリハブサーバが前記リモートサーバと通信し、
前記プライマリハブサーバが動作不能、前記セカンダリハブサーバが動作可能および前記リモートサーバが動作可能である場合、前記セカンダリハブサーバが前記リモートサーバと通信する、リモートサーバと、
（ｄ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視し、該数を送信したＰＩＮＧの数に基づく割合に変換し、
（ｉｖ）ＳＮＭＰ問合せを前記ネットワーク装置へ送信し、該ＳＮＭＰにより「アップ」、「ダウン」および「不明」からなる前記ネットワーク装置の動作状態を判定し、
（ｖ）前記戻ってきたＰＩＮＧの割合および前記ＳＮＭＰ状態を用いて、前記戻ってきたＰＩＮＧの割合に、前記動作状態が「アップ」の場合第１の値、前記動作状態が「ダウン」の場合第２の値および前記動作状態が「不明」の場合第３の値からなる前記動作状態に関連する定数を乗じることにより、前記ポーリング周期に対する状態割合を生成し、
（ｖｉ）現在および過去４ポーリング周期について前記状態割合の重み付け平均を計算し、該重み付け平均から前記ネットワーク装置の状態を判定するための、リー／ティムパラダイム（ＬＴＭ）を用いて前記ネットワーク装置から情報を引き出すための前記リモートネットワークサーバに関連する手段と、
からなる分散ネットワーク管理システム。
【請求項３】
前記プライマリハブサーバは前記ネットワーク装置と通信可能であり、
前記プライマリハブサーバが動作可能および前記リモートサーバが動作不能である場合、前記プライマリハブサーバが前記ネットワーク装置と通信する、請求項２のシステム。
【請求項４】
前記セカンダリハブサーバは前記ネットワーク装置と通信可能であり、
前記プライマリハブサーバが動作不能および前記リモートサーバが動作不能である場合、前記セカンダリハブサーバが前記ネットワーク装置と通信する、請求項２のシステム。
【請求項５】
（ａ）ハブサーバと、
（ｂ）プライマリリモートサーバと、
（ｃ）セカンダリリモートサーバであって、
前記プライマリリモートサーバが、リモートネットワーク、前記セカンダリリモートサーバおよび前記ハブサーバと通信可能であり、
前記セカンダリリモートサーバが、前記リモートネットワーク、前記プライマリリモートサーバおよび前記ハブサーバと通信可能であり、
前記ハブサーバおよび前記プライマリリモートサーバが動作可能である場合、前記ハブサーバが前記プライマリリモートサーバと通信し、
前記ハブサーバが動作可能、前記プライマリリモートサーバが動作不能および前記セカンダリリモートサーバが動作可能である場合、前記ハブサーバが前記セカンダリリモートサーバと通信する、セカンダリリモートサーバと、
（ｄ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視し、該数を送信したＰＩＮＧの数に基づく割合に変換し、
（ｉｖ）ＳＮＭＰ問合せを前記ネットワーク装置へ送信し、該ＳＮＭＰにより「アップ」、「ダウン」および「不明」からなる前記ネットワーク装置の動作状態を判定し、
（ｖ）前記戻ってきたＰＩＮＧの割合および前記ＳＮＭＰ状態を用いて、前記戻ってきたＰＩＮＧの割合に、前記動作状態が「アップ」の場合第１の値、前記動作状態が「ダウン」の場合第２の値および前記動作状態が「不明」の場合第３の値からなる前記動作状態に関連する定数を乗じることにより、前記ポーリング周期に対する状態割合を生成し、
（ｖｉ）現在および過去４ポーリング周期について前記状態割合の重み付け平均を計算し、該重み付け平均から前記ネットワーク装置の状態を判定するための、リー／ティムパラダイム（ＬＴＭ）を用いて前記ネットワーク装置から情報を引き出すための前記リモートネットワークサーバに関連する手段と、
からなる分散ネットワーク管理システム。
【請求項６】
前記ハブサーバは前記ネットワークと通信可能であり、
前記ハブサーバが動作可能、前記プライマリリモートサーバおよび前記セカンダリリモートサーバが動作不能である場合、前記ハブサーバが前記ネットワーク装置と通信する、請求項５のシステム。
【請求項７】
（ａ）プライマリハブサーバと、
（ｂ）セカンダリハブサーバと、
（ｃ）プライマリリモートサーバと、
（ｄ）セカンダリリモートサーバであって、
前記プライマリリモートサーバが、リモートネットワーク、前記セカンダリリモートサーバ、前記プライマリハブサーバおよび前記セカンダリハブサーバと通信可能であり、
前記セカンダリリモートサーバが、前記リモートネットワーク、前記プライマリリモートサーバ、前記プライマリハブサーバおよび前記セカンダリハブサーバと通信可能であり、
前記プライマリハブサーバが、前記セカンダリハブサーバ、前記プライマリリモートサーバ、前記セカンダリリモートサーバおよび前記リモートネットワークと通信可能であり、
前記セカンダリハブサーバが、前記プライマリハブサーバ、前記プライマリリモートサーバ、前記セカンダリリモートサーバおよび前記リモートネットワークと通信可能であり、
前記プライマリハブサーバおよび前記プライマリリモートサーバが動作可能である場合、前記プライマリハブサーバが前記プライマリリモートサーバと通信し、
前記プライマリハブサーバが動作可能、前記プライマリリモートサーバが動作不能および前記セカンダリリモートサーバが動作可能である場合、前記プライマリハブサーバが前記セカンダリリモートサーバと通信し、
前記プライマリハブサーバが動作可能、前記プライマリリモートサーバおよび前記セカンダリリモートサーバが動作不能である場合、前記プライマリハブサーバが前記リモートネットワークと通信し、
前記プライマリハブサーバが動作不能、前記セカンダリハブサーバが動作可能および前記プライマリリモートサーバが動作可能である場合、前記セカンダリハブサーバが前記プライマリリモートサーバと通信し、
前記プライマリハブサーバが動作不能、前記セカンダリハブサーバが動作可能、前記プライマリリモートサーバが動作不能および前記セカンダリリモートサーバが動作可能である場合、前記セカンダリハブサーバが前記セカンダリリモートサーバと通信し、
前記プライマリハブサーバが動作不能、前記セカンダリハブサーバが動作可能、前記プライマリリモートサーバおよび前記セカンダリリモートサーバが動作不能である場合、前記セカンダリハブサーバが前記リモートネットワークと通信し、
前記プライマリハブサーバが動作可能、前記セカンダリハブサーバが動作可能、前記プライマリリモートサーバおよび前記セカンダリリモートサーバが動作不能である場合、前記プライマリハブサーバおよび前記セカンダリハブサーバが前記リモートネットワークと通信する、セカンダリリモートサーバと、
（ｅ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視し、該数を送信したＰＩＮＧの数に基づく割合に変換し、
（ｉｖ）ＳＮＭＰ問合せを前記ネットワーク装置へ送信し、該ＳＮＭＰにより「アップ」、「ダウン」および「不明」からなる前記ネットワーク装置の動作状態を判定し、
（ｖ）前記戻ってきたＰＩＮＧの割合および前記ＳＮＭＰ状態を用いて、前記戻ってきたＰＩＮＧの割合に、前記動作状態が「アップ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成し、
（ｖｉ）現在および過去４ポーリング周期について前記状態割合の重み付け平均を計算し、該重み付け平均から前記ネットワーク装置の状態を判定するための、リー／ティムパラダイム（ＬＴＭ）を用いて前記ネットワーク装置から情報を引き出すための前記リモートネットワークサーバに関連する手段と、
からなる分散ネットワーク管理システム。
【請求項８】
（ａ）ハブサーバと、
（ｂ）リモートサーバであって、
前記リモートサーバがネットワーク装置および前記ハブと通信可能であり、
前記ハブサーバが前記リモートサーバおよび前記ネットワーク装置と通信可能である、リモートサーバと、
（ｃ）（ｉ）前記ハブサーバおよび前記リモートサーバが動作可能である場合、前記ハブサーバに前記リモートサーバと通信させ、（ｉｉ）前記ハブサーバが動作可能および前記リモートサーバが動作不能である場合、前記ハブサーバに前記ネットワーク装置と通信させる動作を実行させるための少なくとも１つの前記サーバに関連するプログラミングと、
（ｄ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視し、該数を送信したＰＩＮＧの数に基づく割合に変換し、
（ｉｖ）ＳＮＭＰ問合せを前記ネットワーク装置へ送信し、該ＳＮＭＰにより「アップ」、「ダウン」および「不明」からなる前記ネットワーク装置の動作状態を判定し、
（ｖ）前記戻ってきたＰＩＮＧの割合および前記ＳＮＭＰ状態を用いて、前記戻ってきたＰＩＮＧの割合に、前記動作状態が「アップ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成し、
（ｖｉ）現在および過去４ポーリング周期について前記状態割合の重み付け平均を計算し、該重み付け平均から前記ネットワーク装置の状態を判定するための、リー／ティムパラダイム（ＬＴＭ）を用いて前記ネットワーク装置から情報を引き出すための前記リモートネットワークサーバに関連する手段と、
からなる分散ネットワーク管理システム。
【請求項９】
（ａ）プライマリハブサーバと、
（ｂ）セカンダリハブサーバと、
（ｃ）リモートサーバであって、
該リモートサーバが、ネットワーク装置、前記プライマリハブサーバおよび前記セカンダリハブサーバと通信可能であり、
前記プライマリハブサーバが、前記リモートサーバおよび前記セカンダリハブサーバと通信可能であり、
前記セカンダリハブサーバが、前記リモートサーバおよび前記プライマリハブサーバと通信可能である、リモートサーバと、
（ｄ）（ｉ）前記プライマリハブサーバおよび前記リモートサーバが動作可能である場合、前記プライマリハブサーバに前記リモートサーバと通信させ、（ｉｉ）前記プライマリハブサーバが動作不能、前記セカンダリハブサーバが動作可能および前記リモートサーバが動作可能である場合、前記セカンダリハブサーバに前記リモートサーバと通信させる動作を実行するための、少なくとも１つの前記サーバに関連するプログラミングと、
（ｅ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視し、該数を送信したＰＩＮＧの数に基づく割合に変換し、
（ｉｖ）ＳＮＭＰ問合せを前記ネットワーク装置へ送信し、該ＳＮＭＰにより「アップ」、「ダウン」および「不明」からなる前記ネットワーク装置の動作状態を判定し、
（ｖ）前記戻ってきたＰＩＮＧの割合および前記ＳＮＭＰ状態を用いて、前記戻ってきたＰＩＮＧの割合に、前記動作状態が「アップ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成し、
（ｖｉ）現在および過去４ポーリング周期について前記状態割合の重み付け平均を計算し、該重み付け平均から前記ネットワーク装置の状態を判定するための、リー／ティムパラダイム（ＬＴＭ）を用いて前記ネットワーク装置から情報を引き出すための前記リモートネットワークサーバに関連する手段と、
からなる分散ネットワーク管理システム。
【請求項１０】
前記プライマリハブサーバは前記ネットワーク装置と通信可能であり、
さらに、前記プライマリハブサーバが動作可能および前記リモートサーバが動作不能である場合、前記プライマリハブサーバに前記ネットワーク装置と通信させる動作を実行するためのプログラミングを含む、請求項９のシステム。
【請求項１１】
前記セカンダリハブサーバは前記ネットワーク装置と通信可能であり、
さらに、前記プライマリハブサーバが動作不能および前記リモートサーバが動作不能である場合、前記セカンダリハブサーバに前記ネットワーク装置と通信させる動作を実行するためのプログラミングを含む、請求項９のシステム。
【請求項１２】
（ａ）ハブサーバと、
（ｂ）プライマリリモートサーバと、
（ｃ）セカンダリリモートサーバであって、
前記プライマリリモートサーバが、リモートネットワーク、前記セカンダリリモートサーバおよび前記ハブサーバと通信可能であり、
前記セカンダリリモートサーバが、前記リモートネットワーク、前記プライマリリモートサーバおよび前記ハブサーバと通信可能であり、
前記ハブサーバが、前記プライマリリモートサーバおよび前記セカンダリリモートサーバと通信可能である、セカンダリリモートサーバと、
（ｄ）（ｉ）前記ハブサーバおよび前記プライマリリモートサーバが動作可能である場合、前記ハブサーバに前記プライマリリモートサーバと通信させ、（ｉｉ）前記ハブサーバが動作可能、前記プライマリリモートサーバが動作不能および前記セカンダリリモートサーバが動作可能である場合、前記ハブサーバに前記セカンダリリモートサーバと通信させる動作を実行するための少なくとも１つの前記サーバに関連するプログラミングと、
（ｅ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視し、該数を送信したＰＩＮＧの数に基づく割合に変換し、
（ｉｖ）ＳＮＭＰ問合せを前記ネットワーク装置へ送信し、該ＳＮＭＰにより「アップ」、「ダウン」および「不明」からなる前記ネットワーク装置の動作状態を判定し、
（ｖ）前記戻ってきたＰＩＮＧの割合および前記ＳＮＭＰ状態を用いて、前記戻ってきたＰＩＮＧの割合に、前記動作状態が「アップ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成し、
（ｖｉ）現在および過去４ポーリング周期について前記状態割合の重み付け平均を計算し、該重み付け平均から前記ネットワーク装置の状態を判定するための、リー／ティムパラダイム（ＬＴＭ）を用いて前記ネットワーク装置から情報を引き出すための前記リモートネットワークサーバに関連する手段と、
からなる分散ネットワーク管理システム。
【請求項１３】
前記ハブサーバは前記ネットワークと通信可能であり、
さらに、前記ハブサーバが動作可能、前記プライマリリモートサーバおよび前記セカンダリリモートサーバが動作不能である場合、前記ハブサーバに前記ネットワーク装置と通信させる動作を実行するためのプログラミングを含む、請求項１２のシステム。
【請求項１４】
（ａ）プライマリハブサーバと、
（ｂ）セカンダリハブサーバと、
（ｃ）プライマリリモートサーバと、
（ｄ）セカンダリリモートサーバであって、
前記プライマリリモートサーバが、リモートネットワーク、前記セカンダリリモートサーバ、前記プライマリハブサーバおよび前記セカンダリハブサーバと通信可能であり、
前記セカンダリリモートサーバが、前記リモートネットワーク、前記プライマリリモートサーバ、前記プライマリハブサーバおよび前記セカンダリハブサーバと通信可能であり、
前記プライマリハブサーバが、前記セカンダリハブサーバ、前記プライマリリモートサーバ、前記セカンダリリモートサーバおよび前記リモートネットワークと通信可能であり、
前記セカンダリハブサーバが、前記プライマリハブサーバ、前記プライマリリモートサーバ、前記セカンダリリモートサーバおよび前記リモートネットワークと通信可能である、セカンダリリモートサーバと、
（ｅ）（ｉ）前記プライマリハブサーバおよび前記プライマリリモートサーバが動作可能である場合、前記プライマリハブサーバに前記プライマリリモートサーバと通信させ、
（ｉｉ）前記プライマリハブサーバが動作可能、前記プライマリリモートサーバが動作不能および前記セカンダリリモートサーバが動作可能である場合、前記プライマリハブサーバに前記セカンダリリモートサーバと通信させ、
（ｉｉｉ）前記プライマリハブサーバが動作可能、前記プライマリリモートサーバおよび前記セカンダリリモートサーバが動作不能である場合、前記プライマリハブサーバに前記リモートネットワークと通信させ、
（ｉｖ）前記プライマリハブサーバが動作不能、前記セカンダリハブサーバが動作可能および前記プライマリリモートサーバが動作可能である場合、前記セカンダリハブサーバに前記プライマリリモートサーバと通信させ、
（ｖ）前記プライマリハブサーバが動作不能、前記セカンダリハブサーバが動作可能、前記プライマリリモートサーバが動作不能および前記セカンダリリモートサーバが動作可能である場合、前記セカンダリハブサーバに前記セカンダリリモートサーバと通信させ、
（ｖｉ）前記プライマリハブサーバが動作不能、前記セカンダリハブサーバが動作可能、前記プライマリリモートサーバおよび前記セカンダリリモートサーバが動作不能である場合、前記セカンダリハブサーバに前記リモートネットワークと通信させ、
（ｖｉｉ）前記プライマリハブサーバが動作可能、前記セカンダリハブサーバが動作可能、前記プライマリリモートサーバおよび前記セカンダリリモートサーバが動作不能である場合、前記プライマリハブサーバおよび前記セカンダリハブサーバに前記リモートネットワークと通信させる動作を実行するための少なくとも１つの前記サーバに関連するプログラミングと、
（ｆ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視し、該数を送信したＰＩＮＧの数に基づく割合に変換し、
（ｉｖ）ＳＮＭＰ問合せを前記ネットワーク装置へ送信し、該ＳＮＭＰにより「アップ」、「ダウン」および「不明」からなる前記ネットワーク装置の動作状態を判定し、
（ｖ）前記戻ってきたＰＩＮＧの割合および前記ＳＮＭＰ状態を用いて、前記戻ってきたＰＩＮＧの割合に、前記動作状態が「アップ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成し、
（ｖｉ）現在および過去４ポーリング周期について前記状態割合の重み付け平均を計算し、該重み付け平均から前記ネットワーク装置の状態を判定するための、リー／ティムパラダイム（ＬＴＭ）を用いて前記ネットワーク装置から情報を引き出すための前記リモートネットワークサーバに関連する手段と、
からなる分散ネットワーク管理システム。
【請求項１５】
（ａ）ハブサーバと、
（ｂ）リモートサーバであって、
前記リモートサーバが、ネットワーク装置および前記ハブサーバと通信可能であり、
前記リモートサーバが前記ネットワーク装置と通信するための構成パラメタが前記ハブサーバと前記リモートサーバとの間で双方向に伝播可能である、リモートサーバと、
（ｃ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視し、該数を送信したＰＩＮＧの数に基づく割合に変換し、
（ｉｖ）ＳＮＭＰ問合せを前記ネットワーク装置へ送信し、該ＳＮＭＰにより「アップ」、「ダウン」および「不明」からなる前記ネットワーク装置の動作状態を判定し、
（ｖ）前記戻ってきたＰＩＮＧの割合および前記ＳＮＭＰ状態を用いて、前記戻ってきたＰＩＮＧの割合に、前記動作状態が「アップ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成し、
（ｖｉ）現在および過去４ポーリング周期について前記状態割合の重み付け平均を計算し、該重み付け平均から前記ネットワーク装置の状態を判定するための、リー／ティムパラダイム（ＬＴＭ）を用いて前記ネットワーク装置から情報を引き出すための前記リモートネットワークサーバに関連する手段と、
からなる分散ネットワーク管理システム。
【請求項１６】
（ａ）ネットワーク装置と通信可能なネットワークサーバと、
（ｂ）（ｃ）ポーリング間隔を定義し、
（ｄ）前記ポーリング間隔の間、複数のＰＩＮＧをＩＣＭＰサーバから前記ネットワーク装置のインタフェースアドレスへ送信し、
（ｅ）前記ネットワーク装置から戻ってきたＰＩＮＧの数を監視し、該数を送信したＰＩＮＧの数に基づく割合に変換し、
（ｆ）ＳＮＭＰ問合せを前記ネットワーク装置へ送信し、該ＳＮＭＰにより「アップ」、「ダウン」および「不明」からなる前記ネットワーク装置の動作状態を判定し、
（ｇ）前記戻ってきたＰＩＮＧの割合および前記ＳＮＭＰ状態を用いて、前記戻ってきたＰＩＮＧの割合に、前記動作状態が「アップ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成し、
（ｈ）現在および過去４ポーリング周期について前記状態割合の重み付け平均を計算し、該重み付け平均から前記ネットワーク装置の状態を判定するための、リー／ティムパラダイム（ＬＴＭ）を用いて前記ネットワーク装置から状態情報を引き出すための、前記ネットワークサーバに関連する手段と、
からなる分散ネットワーク管理システム。
【請求項１７】
（ａ）ネットワーク装置と通信可能なネットワークサーバと、
（ｂ）（ｃ）ポーリング間隔を定義するための手段と、
（ｄ）前記ポーリング間隔の間、複数のＰＩＮＧをＩＣＭＰサーバから前記ネットワーク装置のインタフェースアドレスへ送信するための前記ネットワークサーバに関連する手段と、
（ｅ）前記ネットワーク装置から戻ってきたＰＩＮＧの数を監視して、該数を送信したＰＩＮＧの数に基づく割合に変換するための手段と、
（ｆ）ＳＮＭＰ問合せを前記ネットワーク装置へ送信し、「アップ」、「ダウン」および「不明」からなる前記ネットワーク装置の動作状態を前記ＳＮＭＰ問合せから判定するための手段と、
（ｇ）前記戻ってきたＰＩＮＧの割合および前記ＳＮＭＰ状態を用いて、前記戻ってきたＰＩＮＧの割合に、前記動作状態が「ＵＰ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成するための手段と、
（ｈ）現在および過去４ポーリング周期に対する前記状態割合の重み付け平均を計算し、前記重み付け平均から前記ネットワーク装置の状態を判定するための手段とからなるリー／ティムパラダイム（ＬＴＭ）を用いて、前記ネットワーク装置から状態情報を引き出すための、前記ネットワークサーバに関連する手段と、
からなる分散ネットワーク管理システム。
【請求項１８】
（ａ）ネットワーク装置と通信可能なネットワークサーバと、
（ｂ）リー／ティムパラダイム（ＬＴＭ）を用いて前記ネットワーク装置から状態情報を引き出すための、前記ネットワークサーバに関連する手段と、
（ｃ）（ｉ）ポーリング間隔を定義するための機能と、
（ｉｉ）前記ポーリング間隔の間、複数のＰＩＮＧをＩＣＭＰサーバから前記ネットワーク装置のインタフェースアドレスへ送信するための機能と、
（ｉｉｉ）前記ネットワーク装置から戻ってきたＰＩＮＧの数を監視して、該数を送信したＰＩＮＧの数に基づく割合に変換するための機能と、
（ｉｖ）ＳＮＭＰ問合せを前記ネットワーク装置へ送信し、「アップ」、「ダウン」および「不明」からなる前記ネットワーク装置の動作状態を前記ＳＮＭＰ問合せから判定するための機能と、
（ｖ）前記戻ってきたＰＩＮＧの割合および前記ＳＮＭＰ状態を用いて、前記戻ってきたＰＩＮＧの割合に、前記動作状態が「ＵＰ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成するための機能と、
（ｖｉ）現在および過去４ポーリング周期に対する前記状態割合の重み付け平均を計算し、前記重み付け平均から前記ネットワーク装置の状態を判定するための機能とからなる機能を実行するための、前記ネットワークサーバに関連するプログラミングと、
からなる分散ネットワーク管理システム。
【請求項１９】
ネットワーク装置から状態情報を引き出すためのシステムであって、
（ａ）コンピュータと、
（ｂ）（ｉ）ポーリング間隔を定義する動作と、
（ｉｉ）前記ポーリング間隔の間、複数のＰＩＮＧをＩＣＭＰサーバから前記ネットワーク装置のインタフェースアドレスへ送信する動作と、
（ｉｉｉ）前記ネットワーク装置から戻ってきたＰＩＮＧの数を監視し、前記数を送信したＰＩＮＧの数に基づく割合に変換する動作と、
（ｉｖ）ＳＮＭＰ問合せを前記ネットワーク装置へ送信し、「アップ」、「ダウン」および「不明」からなる前記ネットワーク装置の動作状態を前記ＳＮＭＰ問合せから判定する動作と、
（ｖ）前記戻ってきたＰＩＮＧの割合および前記ＳＮＭＰ状態を用いて、前記戻ってきたＰＩＮＧの割合に、前記動作状態が「ＵＰ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成する動作と、
（ｖｉ）現在および過去４ポーリング周期に対する前記状態割合の重み付け平均を計算し、前記重み付け平均から前記ネットワーク装置の状態を判定する動作とからなる動作を実行するための、前記コンピュータに関連するプログラミングと、
からなるシステム。
【請求項２０】
分散ネットワーク管理のための方法であって、
（ａ）ハブサーバを設けるステップと、
（ｂ）リモートサーバであって、
前記リモートサーバがネットワーク装置と通信し、
前記ハブサーバが前記リモートサーバおよび前記ネットワーク装置と通信し、
前記ハブサーバおよび前記リモートサーバが動作可能である場合、前記ハブサーバが前記リモートサーバと通信し、
前記ハブサーバが動作可能および前記リモートサーバが動作不能である場合、前記ハブサーバが前記ネットワーク装置と通信する、リモートサーバを設けるステップと、
（ｃ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視して、該数を送信したＰＩＮＧの数に基づく割合に変換し、
（ｉｖ）ＳＮＭＰ問合せを前記ネットワーク装置へ送信し、「アップ」、「ダウン」および「不明」からなる前記ネットワーク装置の動作状態を前記ＳＮＭＰ問合せから判定し、
（ｖ）前記戻ってきたＰＩＮＧの割合および前記ＳＮＭＰ状態を用いて、前記戻ってきたＰＩＮＧの割合に、前記動作状態が「ＵＰ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成し、
（ｖｉ）現在および過去４ポーリング周期に対する前記状態割合の重み付け平均を計算し、前記重み付け平均から前記ネットワーク装置の状態を判定するためのリー・ティムパラダイム（ＬＴＰ）を用いて前記ネットワーク装置から情報を引き出すための、前記リモートネットワークサーバに関連する手段を設けるステップと、
からなる方法。
【請求項２１】
分散ネットワーク管理の方法であって、
（ａ）プライマリハブサーバを設けるステップと、
（ｂ）セカンダリハブサーバを設けるステップと、
（ｃ）リモートサーバであって、
前記リモートサーバが、ネットワーク装置、前記プライマリハブサーバおよび前記セカンダリハブサーバと通信可能であり、
前記プライマリハブサーバが、前記リモートサーバおよび前記セカンダリハブサーバと通信可能であり、
前記セカンダリハブサーバが、前記リモートサーバおよび前記プライマリハブサーバと通信可能であり、
前記プライマリハブサーバおよび前記リモートサーバが動作可能である場合、前記プライマリハブサーバが前記リモートサーバと通信し、
前記プライマリハブサーバが動作不能、前記セカンダリハブサーバが動作可能および前記リモートサーバが動作可能である場合、前記セカンダリハブサーバが前記リモートサーバと通信する、リモートサーバを設けるステップと、
（ｄ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視して、該数を送信したＰＩＮＧの数に基づく割合に変換し、
（ｉｖ）ＳＮＭＰ問合せを前記ネットワーク装置へ送信し、「アップ」、「ダウン」および「不明」からなる前記ネットワーク装置の動作状態を前記ＳＮＭＰ問合せから判定し、
（ｖ）前記戻ってきたＰＩＮＧの割合および前記ＳＮＭＰ状態を用いて、前記戻ってきたＰＩＮＧの割合に、前記動作状態が「ＵＰ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成し、
（ｖｉ）現在および過去４ポーリング周期に対する前記状態割合の重み付け平均を計算し、前記重み付け平均から前記ネットワーク装置の状態を判定するためのリー・ティムパラダイム（ＬＴＰ）を用いて前記ネットワーク装置から情報を引き出すための、前記リモートネットワークサーバに関連する手段を設けるステップと、
からなる方法。
【請求項２２】
前記プライマリハブサーバは前記ネットワーク装置と通信可能であり、
さらに、前記プライマリハブサーバが動作可能および前記リモートサーバが動作不能である場合、前記プライマリハブサーバが前記ネットワーク装置と通信することを含む、請求項２１の方法。
【請求項２３】
前記セカンダリハブサーバは前記ネットワーク装置と通信可能であり、
さらに、前記プライマリハブサーバが動作不能および前記リモートサーバが動作不能である場合、前記セカンダリハブサーバが前記ネットワーク装置と通信することを含む、請求項２１の方法。
【請求項２４】
分散ネットワーク管理の方法であって、
（ａ）ハブサーバを設けるステップと、
（ｂ）プライマリリモートサーバを設けるステップと、
（ｃ）セカンダリリモートサーバであって、
前記プライマリリモートサーバが、リモートネットワーク、前記セカンダリリモートサーバおよび前記ハブサーバと通信可能であり、
前記セカンダリリモートサーバが、前記リモートネットワーク、前記プライマリリモートサーバおよび前記ハブサーバと通信可能であり、
前記ハブサーバが、前記プライマリリモートサーバおよび前記セカンダリリモートサーバと通信可能であり、
前記ハブサーバおよび前記プライマリリモートサーバが動作可能である場合、前記ハブサーバが前記プライマリリモートサーバと通信し、
前記ハブサーバが動作可能、前記プライマリリモートサーバが動作不能および前記セカンダリリモートサーバが動作可能である場合、前記ハブサーバが前記セカンダリリモートサーバと通信する、セカンダリリモートサーバを設けるステップと、
（ｄ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視して、該数を送信したＰＩＮＧの数に基づく割合に変換し、
（ｉｖ）ＳＮＭＰ問合せを前記ネットワーク装置へ送信し、「アップ」、「ダウン」および「不明」からなる前記ネットワーク装置の動作状態を前記ＳＮＭＰ問合せから判定し、
（ｖ）前記戻ってきたＰＩＮＧの割合および前記ＳＮＭＰ状態を用いて、前記戻ってきたＰＩＮＧの割合に、前記動作状態が「ＵＰ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成し、
（ｖｉ）現在および過去４ポーリング周期に対する前記状態割合の重み付け平均を計算し、前記重み付け平均から前記ネットワーク装置の状態を判定するためのリー・ティムパラダイム（ＬＴＰ）を用いて前記ネットワーク装置から情報を引き出すための、前記リモートネットワークサーバに関連する手段を設けるステップと、
からなる方法。
【請求項２５】
前記ハブサーバは前記ネットワークと通信可能であり、
さらに、前記ハブサーバが動作可能、前記プライマリリモートサーバおよび前記セカンダリリモートサーバが動作不能である場合、前記ハブサーバが前記ネットワーク装置と通信することを含む、請求項２４の方法。
【請求項２６】
分散ネットワーク管理の方法であって、
（ａ）プライマリハブサーバを設けるステップと、
（ｂ）セカンダリハブサーバを設けるステップと、
（ｃ）プライマリリモートサーバを設けるステップと、
（ｄ）セカンダリリモートサーバであって、
前記プライマリリモートサーバが、リモートネットワーク、前記セカンダリリモートサーバ、前記プライマリハブサーバおよび前記セカンダリハブサーバと通信可能であり、
前記セカンダリリモートサーバが、前記リモートネットワーク、前記プライマリリモートサーバ、前記プライマリハブサーバおよび前記セカンダリハブサーバと通信可能であり、
前記プライマリハブサーバが、前記セカンダリハブサーバ、前記プライマリリモートサーバ、前記セカンダリリモートサーバおよび前記リモートネットワークと通信可能であり、
前記セカンダリハブサーバが、前記プライマリハブサーバ、前記プライマリリモートサーバ、前記セカンダリリモートサーバおよび前記リモートネットワークと通信可能であり、
前記プライマリハブサーバおよび前記プライマリリモートサーバが動作可能である場合、前記プライマリハブサーバが前記プライマリリモートサーバと通信し、
前記プライマリハブサーバが動作可能、前記プライマリリモートサーバが動作不能および前記セカンダリリモートサーバが動作可能である場合、前記プライマリハブサーバが前記セカンダリリモートサーバと通信し、
前記プライマリハブサーバが動作可能、前記プライマリリモートサーバおよび前記セカンダリリモートサーバが動作不能である場合、前記プライマリハブサーバが前記リモートネットワークと通信し、
前記プライマリハブサーバが動作不能、前記セカンダリハブサーバが動作可能および前記プライマリリモートサーバが動作可能である場合、前記セカンダリハブサーバが前記プライマリリモートサーバと通信し、
前記プライマリハブサーバが動作不能、前記セカンダリハブサーバが動作可能、前記プライマリリモートサーバが動作不能および前記セカンダリリモートサーバが動作可能である場合、前記セカンダリハブサーバが前記セカンダリリモートサーバと通信し、
前記プライマリハブサーバが動作不能、前記セカンダリハブサーバが動作可能、前記プライマリリモートサーバおよび前記セカンダリリモートサーバが動作不能である場合、前記セカンダリハブサーバが前記リモートネットワークと通信し、
前記プライマリハブサーバが動作可能、前記セカンダリハブサーバが動作可能、前記プライマリリモートサーバおよび前記セカンダリリモートサーバが動作不能である場合、前記プライマリハブサーバおよび前記セカンダリハブサーバが前記リモートネットワークと通信する、セカンダリリモートサーバを設けるステップと、
（ｅ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視して、該数を送信したＰＩＮＧの数に基づく割合に変換し、
（ｉｖ）ＳＮＭＰ問合せを前記ネットワーク装置へ送信し、「アップ」、「ダウン」および「不明」からなる前記ネットワーク装置の動作状態を前記ＳＮＭＰ問合せから判定し、
（ｖ）前記戻ってきたＰＩＮＧの割合および前記ＳＮＭＰ状態を用いて、前記戻ってきたＰＩＮＧの割合に、前記動作状態が「ＵＰ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成し、
（ｖｉ）現在および過去４ポーリング周期に対する前記状態割合の重み付け平均を計算し、前記重み付け平均から前記ネットワーク装置の状態を判定するためのリー・ティムパラダイム（ＬＴＰ）を用いて前記ネットワーク装置から情報を引き出すための、前記リモートネットワークサーバに関連する手段を設けるステップと、
からなる方法。
【請求項２７】
分散ネットワーク管理の方法であって、
（ａ）ハブサーバを設けるステップと、
（ｂ）ネットワーク装置および前記ハブサーバと通信可能なリモートサーバを設けるステップと、
（ｃ）前記リモートサーバが前記ネットワーク装置と通信するための構成パラメタを、前記ハブサーバと前記リモートサーバとの間で双方向に伝播させるステップと、
（ｄ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視して、該数を送信したＰＩＮＧの数に基づく割合に変換し、
（ｉｖ）ＳＮＭＰ問合せを前記ネットワーク装置へ送信し、「アップ」、「ダウン」および「不明」からなる前記ネットワーク装置の動作状態を前記ＳＮＭＰ問合せから判定し、
（ｖ）前記戻ってきたＰＩＮＧの割合および前記ＳＮＭＰ状態を用いて、前記戻ってきたＰＩＮＧの割合に、前記動作状態が「ＵＰ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成し、
（ｖｉ）現在および過去４ポーリング周期に対する前記状態割合の重み付け平均を計算し、前記重み付け平均から前記ネットワーク装置の状態を判定するためのリー・ティムパラダイム（ＬＴＰ）を用いて前記ネットワーク装置から情報を引き出すための、前記リモートネットワークサーバに関連する手段を設けるステップと、
からなる方法。
【請求項２８】
分散ネットワーク管理の方法であって、
（ａ）ネットワーク装置と通信可能なネットワークサーバを設けるステップと、
（ｄ）（ｉ）ポーリング間隔を定義し、
（ｉｉ）前記ポーリング間隔の間、複数のＰＩＮＧをＩＣＭＰサーバから前記ネットワーク装置のインタフェースアドレスへ送信し、
（ｉｉｉ）前記ネットワーク装置から戻ってきたＰＩＮＧの数を監視して、該数を送信したＰＩＮＧの数に基づく割合に変換し、
（ｉｖ）ＳＮＭＰ問合せを前記ネットワーク装置へ送信し、「アップ」、「ダウン」および「不明」からなる前記ネットワーク装置の動作状態を前記ＳＮＭＰ問合せから判定し、
（ｖ）前記戻ってきたＰＩＮＧの割合および前記ＳＮＭＰ状態を用いて、前記戻ってきたＰＩＮＧの割合に、前記動作状態が「ＵＰ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成し、
（ｖｉ）現在および過去４ポーリング周期に対する前記状態割合の重み付け平均を計算し、前記重み付け平均から前記ネットワーク装置の状態を判定するためのリー・ティムパラダイム（ＬＴＰ）を用いて前記ネットワーク装置から状態情報を引き出すステップと、
からなる方法。
【請求項２９】
ネットワーク装置から状態情報を引き出すための方法であって、
（ａ）ポーリング間隔を定義するステップと、
（ｂ）前記ポーリング間隔の間、複数のＰＩＮＧをＩＣＭＰサーバから前記ネットワーク装置のインタフェースアドレスへ送信するステップと、
（ｃ）前記ネットワーク装置から戻ってきたＰＩＮＧの数を監視して、該数を送信したＰＩＮＧの数に基づく割合に変換するステップと、
（ｄ）ＳＮＭＰ問合せを前記ネットワーク装置へ送信し、「アップ」、「ダウン」および「不明」からなる前記ネットワーク装置の動作状態を前記ＳＮＭＰ問合せから判定するステップと、
（ｅ）前記戻ってきたＰＩＮＧの割合および前記ＳＮＭＰ状態を用いて、前記戻ってきたＰＩＮＧの割合に、前記動作状態が「ＵＰ」の場合第１の値、前記動作状態が「ダウン」の場合第２の値、および、前記動作状態が「不明」の場合第３の値からなる前記動作状態に関連する定数を乗じることにより、前記ポーリング周期に対する状態割合を生成するステップと、、
（ｆ）現在および過去４ポーリング周期に対する前記状態割合の重み付け平均を計算し、前記重み付け平均から前記ネットワーク装置の状態を判定するステップと、
からなる方法。